(57)【要約】【課題】テレビジョン受像機に設けられた記録手段に記録された映像や静止画，音声などのコンテンツを記録装置に容易に転送記録することのできる記録システム及びそれを構成するテレビジョン受像機を提供すること。【解決手段】テレビジョン受像機の記録部にコンテンツが記録され（ステップＳ２），該コンテンツの転送記録が要求された場合には（ステップＳ５〜Ｓ６），記録装置の電源が自動的に立ち上げられて（ステップＳ７），前記コンテンツの転送記録が実行される（ステップＳ９〜Ｓ１０）。【選択図】図２
2008092086.tif 000002
【特許請求の範囲】
【請求項１】
テレビジョン放送を受信するテレビジョン放送受信手段と，前記テレビジョン放送に含まれるコンテンツを記録する第一のコンテンツ記録手段と，を有してなり，前記テレビジョン放送に含まれるコンテンツを記録する第二のコンテンツ記録手段を有する記録装置と所定の信号伝送手段によって通信を行うテレビジョン受像機であって，
前記記録装置の電源の入切を制御する電源制御手段と，前記記録装置の動作を制御する動作制御手段と，前記第一のコンテンツ記録手段に記録されたコンテンツを前記記録装置に送信するコンテンツ送信手段と，前記第一のコンテンツ記録手段に記録された前記コンテンツの前記記録装置への転送記録を要求するための転送記録要求手段と，を備えてなり，
前記転送記録要求手段により前記コンテンツの転送記録が要求された場合に，前記電源制御手段及び前記動作制御手段によって前記記録装置の電源の入切及び前記記録装置の動作が制御されることにより前記第二のコンテンツ記録手段が記録可能な状態に移行された後，前記コンテンツ送信手段により前記記録装置へ前記コンテンツが送信されることにより，該コンテンツが前記第二のコンテンツ記録手段に記録されてなることを特徴とするテレビジョン受像機。
【請求項２】
前記コンテンツが，映像，静止画及び音声のいずれか一つ又は複数である請求項１に記載のテレビジョン受像機。
【請求項３】
前記所定の信号伝送手段が，ＨＤＭＩ規格に準拠したものであって，
前記電源制御手段及び前記動作制御手段が，前記ＨＤＭＩ規格のＣＥＣ規格に準拠した通信プロトコルに従って前記記録装置の電源の入切及び前記記録装置の動作を制御するものである請求項１又は２のいずれかに記載のテレビジョン受像機。
【請求項４】
前記電源制御手段が，前記第一のコンテンツ記録手段に記録された前記コンテンツの前記記録装置への転送記録が終了したことを条件に，該記録装置の電源を切るように制御してなる請求項１〜３のいずれかに記載のテレビジョン受像機。
【請求項５】
前記第一のコンテンツ記録手段に前記コンテンツが記録された場合に，該コンテンツの前記記録装置への転送記録の要否を選択させるための表示を行う選択表示手段を更に備えてなり，
前記転送記録要求手段が，前記選択表示手段による表示に従って前記コンテンツの前記記録装置への転送記録が必要であることを選択するための操作入力が行われた場合に，該転送記録を要求するものである請求項１〜４のいずれかに記載のテレビジョン受像機。
【請求項６】
前記転送記録要求手段が，前記第一のコンテンツ記録手段に前記コンテンツが記録された場合に，該コンテンツの前記記録装置への転送記録を自動的に要求するものである請求項１〜４のいずれかに記載のテレビジョン受像機。
【請求項７】
テレビジョン放送を受信するテレビジョン放送受信手段と，前記テレビジョン放送に含まれるコンテンツを記録する第一のコンテンツ記録手段と，を有するテレビジョン受像機と，
前記テレビジョン放送に含まれるコンテンツを記録する第二のコンテンツ記録手段を有してなり，前記テレビジョン受像機に所定の信号伝送手段によって通信を行う記録装置と，
を備えてなる記録システムであって，
前記テレビジョン受像機が，前記記録装置の電源の入切を制御する電源制御手段と，前記記録装置の動作を制御する動作制御手段と，前記第一のコンテンツ記録手段に記録されたコンテンツを前記記録装置に送信するコンテンツ送信手段と，前記第一のコンテンツ記録手段に記録された前記コンテンツの前記記録装置への転送記録を要求するための転送記録要求手段と，を備えてなり，
前記転送記録要求手段により前記コンテンツの転送記録が要求された場合に，前記電源制御手段及び前記動作制御手段によって前記記録装置の電源の入切及び前記記録装置の動作が制御されることにより前記第二のコンテンツ記録手段が記録可能な状態に移行された後，前記コンテンツ送信手段により前記記録装置へ前記コンテンツが送信されることにより，該コンテンツが前記第二のコンテンツ記録手段に記録されてなることを特徴とする記録システム。
【発明の詳細な説明】
【技術分野】
【０００１】
本発明は，テレビジョン受像機と記録装置とが，ＨＤＭＩ（High Definition Multimedia Interface）規格やＩＥＥＥ１３９４（Institute of Electrical and Electronic Engineers １３９４）規格などに準拠した信号伝送手段を通じて通信を行う記録システム，及びそれを構成するテレビジョン受像機に関するものである。
【背景技術】
【０００２】
テレビジョン受像機（以下「テレビ」と略称する）でテレビジョン放送を視聴しているときに，そのテレビジョン放送をビデオテープレコーダ（ＶＴＲ）に録画する場合，ユーザは，ＶＴＲの電源を立ち上げた後，録画チャンネルを設定して録画を開始させる。このとき，ＶＴＲの電源を立ち上げてから録画を開始するまでには多少の時間を要する。そのため，例えば，テレビに懸賞や催物案内などに関する情報が表示された場合に，その場面を即時に録画することができず表示が終了してしまう場合がある。
そこで，例えば特許文献１では，テレビに画像メモリＩＣを設けておき，急な録画が必要な場合に，その画像メモリＩＣに即時に録画することのできるテレビ画面録画システムが提案されている。
【特許文献１】登録実用新案第３０２３２７０号公報
【発明の開示】
【発明が解決しようとする課題】
【０００３】
ところで，前記特許文献１のテレビ画面録画システムでは，前記画像メモリＩＣに録画された静止画を，ＶＴＲに転送してビデオ録画することが可能である。この場合，ユーザは，ＶＴＲの電源を立ち上げた後，録画チャンネルを外部入力に設定し，テレビで静止画を出力させると共にＶＴＲで録画を開始させるという操作を行うことになる。しかしながら，このような作業はユーザにとって手間であり利便性が悪いという問題がある。
従って，本発明は上記事情に鑑みてなされたものであり，その目的とするところは，テレビジョン受像機に設けられた記録手段に記録された映像や静止画，音声などのコンテンツを記録装置に容易に転送記録することのできる記録システム及びそれを構成するテレビジョン受像機を提供することにある。
【課題を解決するための手段】
【０００４】
上記目的を達成するために本発明は，テレビジョン放送を受信するテレビジョン放送受信手段と，前記テレビジョン放送に含まれるコンテンツを記録する第一のコンテンツ記録手段と，を有してなり，前記テレビジョン放送に含まれるコンテンツを記録する第二のコンテンツ記録手段を有する記録装置と所定の信号伝送手段によって通信を行うテレビジョン受像機に適用されるものであって，前記記録装置の電源の入切を制御する電源制御手段と，前記記録装置の動作を制御する動作制御手段と，前記第一のコンテンツ記録手段に記録されたコンテンツを前記記録装置に送信するコンテンツ送信手段と，前記第一のコンテンツ記録手段に記録された前記コンテンツの前記記録装置への転送記録を要求するための転送記録要求手段と，を備えて構成される。そして，前記転送記録要求手段により前記コンテンツの転送記録が要求された場合に，前記電源制御手段及び前記動作制御手段によって前記記録装置の電源の入切及び前記記録装置の動作が制御されることにより前記第二のコンテンツ記録手段が記録可能な状態に移行された後，前記コンテンツ送信手段により前記記録装置へ前記コンテンツが送信されることにより，該コンテンツが前記第二のコンテンツ記録手段に記録される。
ここに，前記コンテンツは，例えば映像や静止画，音声などである。
また，前記所定の信号伝送手段は，例えばＨＤＭＩ（High Definition Multimedia Interface）規格に準拠したものであることが考えられる。この場合，前記電源制御手段及び前記動作制御手段は，前記ＨＤＭＩ規格のＣＥＣ規格に準拠した通信プロトコルに従って前記記録装置の電源の入切及び前記記録装置の動作を制御する。なお，前記電源制御手段及び前記動作制御手段を具現し得るものあれば，例えばＩＥＥＥ１３９４規格に準拠した信号伝送手段を用いてもかまわない。
【０００５】
このように構成された前記テレビジョン受像機では，該テレビジョン受像機の前記第一のコンテンツ記録手段に記録されたコンテンツを容易に前記記録装置の前記第二のコンテンツ記録手段に転送録画することができる。もちろん，従来と同様に前記テレビジョン受像機に前記第一のコンテンツ記録手段が設けられているため，該テレビジョン受像機で再生中のコンテンツの録画を即時に開始することができる。
また，前記電源制御手段が，前記第一のコンテンツ記録手段に記録された前記コンテンツの前記記録装置への転送記録が終了したことを条件に，該記録装置の電源を切るように制御することで，転送記録に必要な電力消費を最低限に抑制することができる。
【０００６】
具体的には，前記第一のコンテンツ記録手段に前記コンテンツが記録された場合に，該コンテンツの前記記録装置への転送記録の要否を選択させるための表示を行い，その表示に従って前記コンテンツの前記記録装置への転送記録が必要であることを選択するための操作入力が行われた場合に，前記転送記録要求手段によって転送記録が要求されるように構成することが考えられる。この場合には，ユーザは，前記表示に従って前記転送記録が必要であることを選択するという操作を行うだけで，容易に前記コンテンツを転送記録させることができる。
また，前記転送記録要求手段が，前記第一のコンテンツ記録手段に前記コンテンツが記録された場合に，該コンテンツの前記記録装置への転送記録を自動的に要求するように構成することも考えられる。この場合には，ユーザの操作は一切必要ない。
【０００７】
本発明は，前記テレビジョン受像機と前記記録装置とを備えてなる記録システムの発明として捉えることが可能である。即ち，テレビジョン放送を受信するテレビジョン放送受信手段と，前記テレビジョン放送に含まれるコンテンツを記録する第一のコンテンツ記録手段と，を有するテレビジョン受像機と，前記テレビジョン放送に含まれるコンテンツを記録する第二のコンテンツ記録手段を有してなり，前記テレビジョン受像機に所定の信号伝送手段によって通信を行う記録装置と，を備えてなる記録システムに適用されるものであって，前記テレビジョン受像機が，前記記録装置の電源の入切を制御する電源制御手段と，前記記録装置の動作を制御する動作制御手段と，前記第一のコンテンツ記録手段に記録されたコンテンツを前記記録装置に送信するコンテンツ送信手段と，前記第一のコンテンツ記録手段に記録された前記コンテンツの前記記録装置への転送記録を要求するための転送記録要求手段と，を備えてなり，前記転送記録要求手段により前記コンテンツの転送記録が要求された場合に，前記電源制御手段及び前記動作制御手段によって前記記録装置の電源の入切及び前記記録装置の動作が制御されることにより前記第二のコンテンツ記録手段が記録可能な状態に移行された後，前記コンテンツ送信手段により前記記録装置へ前記コンテンツが送信されることにより，該コンテンツが前記第二のコンテンツ記録手段に記録されてなることを特徴とする記録システムとして構成される。
【発明の効果】
【０００８】
本発明によれば，前記テレビジョン受像機の前記第一のコンテンツ記録手段に記録されたコンテンツを容易に前記記録装置の前記第二のコンテンツ記録手段に転送録画することができる。もちろん，従来と同様に前記テレビジョン受像機に前記第一のコンテンツ記録手段が設けられているため，該テレビジョン受像機で再生中のコンテンツの録画を即時に開始することができる。
また，前記電源制御手段が，前記第一のコンテンツ記録手段に記録された前記コンテンツの前記記録装置への転送記録が終了したことを条件に，該記録装置の電源を切るように制御することで，転送記録に必要な電力消費を最低限に抑制することができる。
【発明を実施するための最良の形態】
【０００９】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施の形態に係る記録システムＺの概略構成を示すブロック図，図２は前記記録システムＺにおいて実行される転送記録処理の手順の一例を説明するためのフローチャートである。
まず，図１に示すブロック図を用いて，本発明の実施形態に係る記録システムＺの構成について説明する。
前記記録システムＺは，映像や静止画を表示する映像表示部５（映像表示手段の一例）や音声を出力（再生）するスピーカ１３等を備えるテレビジョン受像機Ｘと，映像や静止画，音声などのコンテンツを記録するハードディスクドライブ（ＨＤＤ）２３（第二のコンテンツ記録手段の一例）を有するＨＤレコーダＹとが，ＨＤＭＩ規格に準拠した信号伝送手段であるＨＤＭＩインターフェースＷによって通信可能に構成されたシステムである。前記テレビジョン受像機Ｘと前記ＨＤレコーダＹとは，前記ＨＤＭＩインターフェースを通じて，ＨＤＭＩ規格で規格された通信プロトコルに従って通信を行う。なお，前記テレビジョン受像機Ｘと前記ＨＤレコーダＹとの間で信号伝送を行うための信号伝送手段としては，ＨＤＭＩ規格に準拠したものに限られず，後述の転送記録処理（図２のフローチャート参照）を実現し得るものであれば，例えばＩＥＥＥ１３９４規格に準拠したものであってもかまわない。
前記ＨＤＭＩインターフェースＷは，映像信号及び音声信号（いずれもデジタル信号）を伝送するＴＭＤＳライン４１ｘ，４１ｙと，ＨＤＭＩ規格のオプション規格であるＣＥＣ規格に準拠したＣＥＣライン４２を含んでいる。なお，前記ＴＭＤＳライン４１ｘ，４１ｙ各々は，複数本の信号ラインにより構成され，前記ＴＭＤＳライン４１ｘ及び前記ＣＥＣライン４２，前記ＴＭＤＳライン４１ｙ及び前記ＣＥＣライン４は，見かけ上１本のＨＤＭＩケーブル４０として構成されている。
前記記録システムＺの特徴は，前記テレビジョン受像機Ｘに，テレビジョン放送に含まれた映像や静止画，音声などのコンテンツを記録する記録部１５（第一のコンテンツ記録手段の一例）が設けられており，該記録部１５に記録されたコンテンツの前記ＨＤレコーダＹへの転送記録に関する操作が簡略化された点にある。その詳細については後述する。
【００１０】
［テレビジョン受像機Ｘ］
本発明の実施形態に係る前記テレビジョン受像機Ｘは，図１に示すように，チューナ１，ＨＤＭＩ受信部２ｘａ（図中，ＨＤＭＩ−ＲＸと表記），ＨＤＭＩ送信部２ｙａ（図中，ＨＤＭＩ−ＴＸと表記），ＣＥＣインターフェース２ｘｂ（図中，ＣＥＣ−ＩＦと表記），映像切替回路３，映像処理回路４，映像表示部５，制御回路６，リモコンインターフェース（Ｉ／Ｆ）回路７，リモコン８，サブＭＰＵ９，音声切替回路１０，音声処理回路１１，アンプ１２，スピーカ１３，記録・再生回路１４及び記録部１５等を具備して構成されている。
前記チューナ１（テレビジョン放送受信手段の一例）は，地上波放送信号やＢＳ衛星放送信号等の放送信号を受信し，該放送信号から，前記制御回路６により指示される放送チャンネルの信号を抽出（選局）するとともに，その抽出信号の検波によって映像信号及び音声信号を取り出し，その映像信号及び音声信号の各々を前記映像切替回路３及び前記音声切替回路１０各々へ伝送するものである。
また，前記チューナ１は，前記映像切替回路３及び前記音声切替回路１０に伝送する映像信号及び音声信号と同じ信号を，前記記録・再生回路１４に対しても同様に伝送する。
【００１１】
前記ＨＤＭＩ受信部２ｘａ及び前記ＨＤＭＩ送信部２ｙａは，ＨＤＭＩ規格に準拠した信号伝送インターフェースである。
前記ＨＤＭＩ受信部２ｘａは，前記ＴＭＤＳライン４１ｘを通じて，外部装置（ここでは，ＨＤレコーダＹ）からベースバンド方式で映像信号及び音声信号を入力し，それらを前記映像切替回路３及び前記音声切替回路１０各々へ伝送する。
前記ＨＤＭＩ送信部２ｙａは，前記記録・再生回路１４によって前記記憶部１５から読み出された映像信号及び音声信号を，前記ＴＭＤＳライン４１ｙを通じて，外部装置（ここでは，ＨＤレコーダＹ）にベースバンド方式で出力する。
前記ＣＥＣインターフェース２ｘｂは，ＨＤＭＩ規格におけるＣＥＣ規格に準拠した信号伝送インターフェースである。このＣＥＣインターフェース２ｘｂは，前記ＣＥＣライン４２を通じて，外部装置（ここでは，ＨＤレコーダＹ）との間で情報の送受信を行う。前記ＣＥＣインターフェース２ｘｂの受信情報の直接の伝送先及び送信情報の直接の供給元は，前記サブＭＰＵ９である。
図１に示す例では，前記テレビジョン受像機Ｘに，１台の前記ＨＤレコーダＹ（外部装置）が接続されているが，該テレビジョン受像機Ｘには，前記ＨＤレコーダＹを介して複数の外部装置を接続することが可能である。また，前記ＨＤＭＩ受信部２ｘａや前記ＨＤＭＩ送信部２ｙａを複数備える場合には，複数の外部装置を直接，並列接続することが可能である。
【００１２】
前記映像切替回路３は，前記チューナ１，前記ＨＤＭＩ受信部２ｘａ，及び前記記録・再生回路１４からの映像信号を入力し，それらの映像信号のうちの任意の１つの映像信号を前記制御回路６からの指示に従って選択して出力するものである。
前記映像処理回路４は，前記映像切替回路３から出力された映像信号に対して各種信号処理を行うものである。例えば，前記映像処理回路４は，前記映像切替回路３からの映像信号に，前記制御回路６から指定された情報の映像をスーパーインポーズする（重ね合わせる）ＯＳＤ機能を備えている。
前記映像表示部５は，液晶パネル及び液晶ドライバを備えた液晶表示部などにより構成され，前記映像処理回路４から出力される映像信号に基づく映像を表示するものである。
【００１３】
前記音声切替回路１０は，前記チューナ１，前記ＨＤＭＩ受信部２ｘａ，及び前記記録・再生回路１４からの音声信号が入力され，それらの音声信号のうちの任意の１つの音声信号を，前記制御回路６からの指示に従って前記音声処理回路１１に出力するものである。
前記音声処理回路１１は，前記音声切替回路１０から出力された信号に対し，イコライズ処理やＤ／Ａ変換処理等を行うものである。
前記アンプ１２は，前記音声処理回路１１による処理後の音声信号を，前記制御回路６からの指示に従って増幅或いは減衰させる処理（ボリューム調節処理）を行い，前記スピーカ１３に出力するものである。前記スピーカ１３では，前記音声信号に基づく音声が出力（再生）される。
【００１４】
また，前記記録・再生回路１４は，前記チューナ１により抽出されたテレビジョン放送に含まれた映像や静止画，音声などのコンテンツの放送信号（以下，コンテンツ信号という）を前記記録部１５に記録する記録処理を実行する。なお，前記記録部１５は，画像メモリＩＣなどを有しており，前記テレビジョン受像機Ｘの電源が立ち上げられた状態では，前記コンテンツ信号を即時に記録開始することができるように構成されている。また，前記記録部１５は，前記画像メモリＩＣに換えて，メモリーカードやＨＤＤ（ハードディスクドライブ）などを有するものであってもよい
さらに，前記記録・再生回路１４は，前記記録部１５に記録されたコンテンツ信号を復号化しながら前記映像切替回路３や前記音声切替回路１０に入力して前記映像表示部５や前記スピーカ１３で再生させる再生処理や，前記ＨＤＭＩ送信部２ｙａを通じて外部出力する外部出力処理を実行する。
【００１５】
前記制御回路６は，演算手段であるＭＰＵ６ａ，そのＭＰＵ６ａによって実行される制御プログラムが予め格納される記録手段であるＲＯＭ６ｂ（ＥＰＲＯＭ），前記ＭＰＵ６ａが実行する処理において読み書きされる各種情報を記録するＥＥＰＲＯＭ６ｃ等を備え，当該テレビジョン受像機Ｘ全体を制御するものである。以下に示す前記制御回路６の処理や機能は，前記ＭＰＵ６ａが前記ＲＯＭ６ｂに記録されたプログラムを実行することによって実現される。
前記リモコン８は，当該テレビジョン受像機Ｘの動作の制御用の無線信号（例えば，赤外線信号）を出力するリモート操作器であり，不図示の操作入力部や無線信号出力回路等を備えている。前記操作入力部は，チャンネル選択キーや音量調節キーなど，情報入力のための操作部であり，その操作内容に応じた信号が前記無線信号出力回路に伝送される。
特に，本実施の形態に係る前記テレビジョン受像機Ｘの前記リモコン８には，前記チューナ１から前記記録・再生回路１４に入力されている前記コンテンツ信号を前記記録部１５に記録するための記録処理を実行させるための即時記録キーと，前記映像表示部５に表示される選択項目の選択や決定を行う十字キー及び決定キーを有する選択キーとが設けられている。
また，前記無線信号出力回路は，前記操作入力部から伝送されてくる信号（即ち，テレビジョン受像機Ｘの動作の制御信号）を，無線信号（例えば，赤外線信号）に変換し，当該リモコン８からテレビ本体側へ無線伝送するものである。
一方，前記リモコンインターフェース回路７は，前記リモコン８から伝送される無線信号（赤外線信号等）を受信し，これを電気信号に変換することにより，前記リモコン８から伝送される各種情報を取得するとともに，その取得情報を前記サブＭＰＵ９に伝送するものである。
前記サブＭＰＵ９は，前記制御回路６と，前記リモコンインターフェース回路７及び前記ＣＥＣインターフェース２ｘｂとの間で情報伝送を中継する処理を実行するマイクロコンピュータである。
【００１６】
［ＨＤレコーダＹ］
本発明の実施形態に係る前記ＨＤレコーダＹは，図１に示すように，チューナ２１，記録・再生処理回路２２，ＨＤＤ２３（ハードディスクドライブ），ＨＤＭＩ送信部２５ａ（図中，ＨＤＭＩ−ＴＸと表記），ＣＥＣインターフェース２５ｂ（図中，ＣＥＣ−ＩＦと表記），ＨＤＭＩ受信部２５ｃ（図中，ＨＤＭＩ−ＲＸと表記），制御回路２４，リモコンインターフェース回路２６，リモコン２７及びサブＭＰＵ２８等を具備して構成されている。ｓ
ここで，前記チューナ２１，前記リモコンインターフェース回路２６，前記リモコン２７及び前記サブＭＰＵ２８は，それぞれ前記テレビジョン受像機Ｘにおける前記チューナ１，前記リモコンインターフェース回路７，前記リモコン８及び前記サブＭＰＵ９と同様のものである。
【００１７】
前記記録・再生回路２２は，放送番組の録画処理及び録画番組の再生処理を実行するものである。即ち，前記記録・再生回路２２は，前記チューナ２１により抽出された番組に含まれた前記コンテンツ信号，或いは前記ＨＤＭＩ受信部２５ｃから入力された前記コンテンツ信号を，圧縮符号化して前記ＨＤＤ２３に記録する記録処理を実行する。
また，前記記録・再生回路２２は，前記ＨＤＤ２３に録画（記録）されたコンテンツ信号を復号化しながら前記ＨＤＭＩ送信部２５ａを通じて外部出力する再生処理を実行する。
さらに，前記記録・再生回路２２は，前記チューナ２１により抽出された番組の放送信号から，そこに含まれるＥＰＧ情報（電子番組ガイド情報）を抽出して前記ＨＤＤ２３に記録するＥＰＧ取得機能も備えている。
【００１８】
前記ＨＤＭＩ送信部２５ａ及び前記ＨＤＭＩ受信部２５ｃは，ＨＤＭＩ規格に準拠した信号伝送インターフェースである。
前記ＨＤＭＩ送信部２５ａは，前記ＴＭＤＳライン４１ｘを通じて，外部装置（ここでは，テレビジョン受像機Ｘ）に対し，ベースバンド方式で映像信号及び音声信号を出力する。
前記ＨＤＭＩ受信部２５ｃは，前記ＴＭＤＳライン４１ｙを通じて，外部装置（ここでは，前記テレビジョン受像機Ｘ）からベースバンド方式で映像信号及び音声信号を入力し，それらを前記記録・再生回路２２へ伝送する。
前記ＣＥＣインターフェース２５ｂは，前記テレビジョン受像機Ｘにおける前記ＣＥＣインターフェース２ｘｂと同様に，ＨＤＭＩ規格におけるＣＥＣ規格に準拠した信号伝送インターフェースである。このＣＥＣインターフェース２５ｂは，前記ＣＥＣライン４２を通じて，外部装置（ここでは，テレビジョン受像機Ｘ）との間で情報の送受信を行う。前記ＣＥＣインターフェース２５ｂの受信情報の直接の伝送先及び送信情報の直接の供給元は，前記サブＭＰＵ２８である。
【００１９】
また，前記ＨＤレコーダＹにおいて，前記ＨＤＭＩインターフェースＷの一部を構成する前記ＨＤＭＩ送信部２５ａ，前記ＨＤＭＩ受信部２５ｃ及び前記ＣＥＣインターフェース２５ｂと，前記サブＭＰＵ２８と，前記リモコンインターフェース回路２６とは，当該ＨＤレコーダＹが商用電源に接続されている状態では，常時通電された状態となっている。
一方，前記チューナ２１や前記制御回路２４，前記記録・再生回路２２及び前記ＨＤＤ２３等は，当該ＨＤレコーダＹが商用電源に接続されている状態において，それらへの通電がなされた稼動状態（電源立ち上げられた状態）と，それらへの通電が遮断された待機状態（電源立ち下げられた状態）との２状態に切り替えられる。その２状態の切り替えは，前記サブＭＰＵ２８が不図示の通電スイッチの切り替え制御を行うことにより実現される。
例えば，前記サブＭＰＵ２８は，当該ＨＤレコーダＹが前記待機状態である場合に，前記リモコン２７から前記リモコンインターフェース回路２６を通じて電源キーの操作信号が受信されたこと，或いは前記テレビジョン受像機Ｘから前記ＣＥＣインターフェース２５ｂを通じて自装置宛の何らかのコマンドが受信されたことを検知すると，前記通電スイッチをＯＦＦ状態からＯＮ状態へ切り替えることにより，当該ＨＤレコーダＹを前記待機状態から前記稼動状態へ切り替える。即ち，前記ＨＤレコーダＹの電源を立ち上げる。
一方，前記サブＭＰＵ２８は，当該ＨＤレコーダＹが前記稼動状態である場合に，前記リモコン２７から前記リモコンインターフェース回路２６を通じて電源キーの操作信号が受信されたこと，或いは前記テレビジョン受像機Ｘから前記ＣＥＣインターフェース２５ｂを通じて停止コマンドが受信されたことを検知すると，前記通電スイッチをＯＮ状態からＯＦＦ状態へ切り替えることにより，当該ＨＤレコーダＹを前記稼動状態から前記待機状態へ切り替える。即ち，前記ＨＤレコーダＹの電源を立ち下げる。また，前記サブＭＰＵ２８は，後述するように，前記ＨＤレコーダＹへの前記コンテンツ信号の転送記録が終了した場合にも，該ＨＤレコーダＹを前記稼動状態から前記待機状態へ切り替える。
【００２０】
前記制御回路２４は，演算手段であるＭＰＵ２４ａ，そのＭＰＵ２４ａによって実行される制御プログラムが予め格納される記録手段であるＲＯＭ２４ｂ（ＥＰＲＯＭ），前記ＭＰＵ２４ａが実行する処理において読み書きされる各種情報を記録するＥＥＰＲＯＭ２４ｃ等を備え，当該ＨＤレコーダＹ全体を制御するものである。以下に示す前記制御回路２４の処理や機能は，前記ＭＰＵ２４ａが前記ＲＯＭ２４ｂに記録されたプログラムを実行することによって実現される。
【００２１】
次に，図２に示すフローチャートを参照しつつ，前記記録システムＺにおいて前記テレビジョン受像機Ｘによって実行される転送記録処理の手順について説明する。なお，図中に示すＳ１，Ｓ２，…は，処理手順（ステップ）番号を表す。また，当該転送記録処理は，前記テレビジョン受像機Ｘの電源が立ち上げられている場合に実行される。
［ステップＳ１，Ｓ２］
まず，ステップＳ１では，前記リモコン８の前記即時記録キーが押下された否かが前記制御回路６によって判断される。具体的には，前記リモコン８の前記即時記録キーが押下されることにより，該リモコン８から前記リモコンインターフェース回路７に入力される無線信号に基づいて判断される。ここで前記リモコン８の即時記録キーが押下されたと判断されると（Ｓ１のＹｅｓ側），処理はステップＳ２に移行し，前記リモコン８の即時記録キーが押下されていないと判断されている間は（Ｓ１のＮｏ側），処理は当該ステップＳ１の判断を繰り返し実行する。
ステップＳ２では，前記制御回路６によって前記記録・再生回路１４が制御されることにより，前記チューナ１から入力されている前記コンテンツ信号，即ち前記映像表示部５及び前記スピーカ１３で再生中の映像や静止画，音声などのコンテンツが，前記記録部１５に即時に記録される。なお，このとき記録されるコンテンツを前記チューナ１から入力されている映像の静止画だけに限定することも実施例として考えられ，この場合には，前記記録部１５は小容量のものであればよい。また，従来からテレビジョン受像機に設けれられている他の目的で用いられる既存の記憶手段を，前記記録部１５として一時的に利用する構成も他の実施例として考えられる。
【００２２】
［ステップＳ３，Ｓ４］
そして，ステップＳ３では，前記ステップＳ２で開始された前記コンテンツ信号の記録が終了したか否かが前記制御回路６によって判断される。具体的には，前記リモコン８の前記即時記録キーが押下されてから所定の時間が経過したか否か，或いは前記即時記録キーが再度操作されたか否かによって判断される。このステップＳ３の処理は，前記コンテンツ信号の記録が終了したと判断されるまで繰り返し実行され（Ｓ３のＮｏ側），終了したと判断された場合（Ｓ３のＹｅｓ側）には，処理はステップＳ４に移行する。
ステップＳ４では，前記制御回路６によって，前記記録部１５に記録された前記コンテンツ信号を前記ＨＤレコーダＹに転送記録するか否かをユーザに選択させるための表示が行われる。例えば，「今記録したコンテンツの転送記録を実行しますか？」と，要否を選択するための「Ｙｅｓ」，「Ｎｏ」とを表示するための情報が，前記制御回路６から前記映像処理回路４に入力されることにより，該映像処理回路４のＯＳＤ機能によって，これらの文字が前記映像表示部５に表示中の映像に重畳して表示される。ここに，かかる表示処理を実行するときの前記制御回路６が選択表示手段に相当する。
【００２３】
［ステップＳ５，Ｓ６］
その後，ステップＳ５では，ユーザによって前記ステップＳ４の表示に従って転送記録の要否のいずれが選択されたかが前記制御回路６によって判断される。具体的には，前記リモコン８の前記選択キーの操作によって，該リモコン８から前記リモコンインターフェース回路７に入力される無線信号に基づいて判断される。
ここで，前記転送記録が必要であることが選択されたと判断された場合（Ｓ５のＹｅｓ側）には，処理はステップＳ６に移行して，前記制御回路６において転送記録の要求が発生する。ここに，前記コンテンツ信号の前記ＨＤレコーダＹへの転送記録が必要であることを選択するための操作入力が行われた場合に，該転送記録の要求を発生させる前記制御回路６が転送記録要求手段の一例である。
一方，必要ないことが選択されたと判断された場合（Ｓ５のＮｏ側）には，当該転送記録処理は終了される。なお，当該転送記録処理が終了された後も，前記テレビジョン受像機Ｘにおいて，前記記録部１５に記録された前記コンテンツ信号を再生することは可能である。但し，前記記録部１５では，記録容量が飽和した場合には，古いコンテンツから順次消去され，新たなコンテンツの記録が行われる。
【００２４】
［ステップＳ７，Ｓ８］
ステップＳ６で前記制御回路６において転送記録が要求されると，続くステップＳ７では，該制御回路６によって，前記ＨＤレコーダＹの電源を立ち上げるための処理が実行される。具体的に，前記制御回路６は，前記サブＭＰＵ９に対して，前記ＣＥＣインターフェース２ｘｂ，前記ＣＥＣライン４２を介して前記ＨＤレコーダＹに，該ＨＤレコーダＹの電源を立ち上げるための電源立ち上げコマンドの出力を指示する。これにより，前記サブＭＰＵ９では，前記ＨＤレコーダＹに対して前記電源立ち上げコマンドが出力される。なお，前記電源立ち上げコマンドは，ＨＤＭＩ規格のＣＥＣ規格で規定された通信プロトコルに従ったものである。このように，前記ＨＤレコーダＹの電源の入制御及び後述のステップＳ１２における電源の切制御を行うときの前記制御回路６が電源制御手段に相当する。
これにより，前記ＨＤレコーダＹでは，前記ＣＥＣインターフェース２５ｂを通じて前記電源立ち上げコマンドが受信されるため，前記通電スイッチがＯＦＦ状態からＯＮ状態に切り替えられ，該ＨＤレコーダＹの電源が立ち上げられる。なお，既に前記ＨＤレコーダＹの電源が立ち上がっている場合には，その状態が継続される。
続くステップＳ８では，前記ＨＤレコーダＹの電源が立ち上がったか否かが前記制御回路６によって判断される。この判断は，前記ＣＥＣインターフェース２ｘｂを通じて行うことが可能である。そして，前記ＨＤレコーダＹの電源が立ち上がるまで処理は待機され（Ｓ８のＮｏ側），該ＨＤレコーダＹの電源が立ち上がったと判断された場合には（Ｓ８のＹｅｓ側），処理はステップＳ９に移行する。なお，前記ＨＤレコーダＹの電源が立ち上がった状態とは，該ＨＤレコーダＹにおける録画処理や通信処理などの各種の処理が実行可能な状態をいう。
なお，事前に前記テレビジョン受像機Ｘにおいて前記ＨＤレコーダＹの電源の立ち上がり状態が検知されている場合には，前記ステップＳ７〜Ｓ８の処理を省略してもよい。
【００２５】
［ステップＳ９，Ｓ１０］
ステップＳ９では，前記制御回路６によって，前記ＨＤレコーダＹに録画動作を行わせるための処理が実行され，該ステップＳ９と略並行に実行されるステップＳ１０では，前記制御回路６によって前記記録・再生回路１４が制御されることにより，前記記録部１５に記録された前記コンテンツ信号の前記ＨＤレコーダＹへの送信が，前記ＨＤＭＩ送信部２ｙａ及び前記ＴＭＤＳライン４１ｙを介して行われる。ここに，前記ＨＤレコーダＹの記録動作を制御するときの前記制御回路６が動作制御手段に相当し，前記コンテンツ信号の送信処理を実行するときの前記記録・再生回路１４がコンテンツ送信手段に相当する。
具体的に，前記ステップＳ９では，前記制御回路６は，前記サブＭＰＵ９に対して，前記ＣＥＣインターフェース２ｘｂ，前記ＣＥＣライン４２を介して前記ＨＤレコーダＹに，前記テレビジョン受像機Ｘから入力される前記コンテンツ信号の記録処理を開始させるための転送記録コマンドの出力を指示する。これにより，前記サブＭＰＵ９では，前記ＨＤレコーダＹに対して前記転送記録コマンドが出力される。なお，前記転送記録コマンドは，ＨＤＭＩ規格のＣＥＣ規格で規定された通信プロトコルに従ったものである。また，前記転送記録コマンドは，前記ＣＥＣ規格の標準コマンドを組み合わせたものであっても，また予め任意に設定される所謂ベンダーコマンドであってもよい。
これにより，前記転送記録コマンドを受信した前記ＨＤレコーダＹでは，前記転送記録コマンドが前記サブＭＰＵ２８から前記制御回路２４に入力される。そして，前記御回路２４によって前記転送記録コマンドに基づいて，前記記録・再生回路２２が制御されることにより，前記テレビジョン受像機Ｘから前記ＨＤＭＩ受信部２５ｃを通じて入力された前記コンテンツ信号が前記ＨＤＤ２３に伝送されて記録される。
【００２６】
［ステップＳ１１，Ｓ１２］
その後，ステップＳ１１では，前記コンテンツ信号の転送記録が終了したか否かが前記制御回路６によって判断される。例えば，前記ＨＤレコーダＹから記録完了通知が受信されたか否かによって判断される。なお，前記記録完了通知は，前記ＨＤレコーダＹにおいて，前記テレビジョン受像機Ｘから送信された前記コンテンツ信号の前記ＨＤＤ２３への記録が終了したと前記制御回路２４によって判断された場合に，該制御回路２４によって前記ＨＤレコーダＹから前記テレビジョン受像機Ｘに送信される。
ここで，前記コンテンツ信号の転送記録が終了したと判断されるまでの間は処理は待機され（Ｓ１１のＮｏ側），終了したと判断された場合には（Ｓ１１のＹｅｓ側），処理はステップＳ１２に移行する。
ステップＳ１２では，前記制御回路６によって，前記ＨＤレコーダＹの電源を立ち下げるための処理が実行される。具体的に，前記制御回路６は，前記サブＭＰＵ９に対して，前記ＣＥＣインターフェース２ｘｂ，前記ＣＥＣライン４２を介して前記ＨＤレコーダＹに，該ＨＤレコーダＹの電源を立ち下げるための電源立ち下げコマンドの出力を指示する。これにより，前記サブＭＰＵ９では，前記ＨＤレコーダＹに対して前記電源立ち下げコマンドが出力される。なお，前記電源立ち下げコマンドの出力は，ＨＤＭＩ規格のＣＥＣ規格で規定された通信プロトコルに従って行われる。
したがって，前記ＨＤレコーダＹでは，前記ＣＥＣインターフェース２５ｂを通じて前記電源立ち下げコマンドが受信されるため，前記通電スイッチがＯＮ状態からＯＦＦ状態に切り替えられ，該ＨＤレコーダＹの電源が立ち下げられる。
【００２７】
このように，前記記録システムＺでは，前記テレビジョン受像機Ｘの前記記録部１５に前記コンテンツ信号が記録され，該コンテンツ信号の転送記録が要求された場合には，前記ＨＤレコーダＹの電源が自動的に立ち上げられて前記コンテンツ信号の転送記録が実行される。即ち，ユーザは，前記ステップＳ５で説明したように，前記リモコン８の前記選択キーの操作によって転送記録が必要であることを選択するという簡単な操作を行うだけで，容易に前記記録部１５に記録されたコンテンツ信号を前記ＨＤレコーダＹに転送記録することができる。
しかも，前記コンテンツ信号の転送記録が終了したことを条件に，前記ＨＤレコーダＹの電源が切れるように制御されるため，該転送記録に必要な電力消費を最低限に抑制することができる。但し，前記ＨＤレコーダＹの電源が前記転送記録の開始前に既に立ち上げられていた場合には，該転送記録が終了した後もその電源の立ち上がり状態を維持するように処理してもよい。
【００２８】
なお，本実施の形態では，前記記録部１５に前記コンテンツ信号が記録された直後に，該コンテンツ信号の転送記録の要否を選択させる場合を例に挙げて説明したが，前記コンテンツ信号の前記記録部１５への記録が終了した後，該コンテンツ信号が前記記録部１５から消去されるまでの間は，ユーザによる前記リモコン８の操作によって，メニュー画面などから前記転送記録を要求することができるように構成することも他の実施例として考えら得られる。もちろん，前記コンテンツ信号の記録直後に転送記録が必要ないことが選択された場合にも，その後，メニュー画面などから前記転送記録を要求することができるように構成してもよい。
また，本実施の形態では，前記ＨＤレコーダＹが一台だけ接続されている場合について説明したが，該ＨＤレコーダＹなどの記録装置が複数台接続されている場合には，その複数の記録装置のいずれに前記記録部１５のコンテンツ信号を転送記録するかを選択するための処理が前記制御部６によって実行される。具体的には，前記テレビジョン受像機Ｘの初期設定において，或いは前記転送記録の要否の選択するタイミングで選択するように処理すればよい。
【００２９】
さらに，長時間の映像（音声含む）の録画開始時などに，前記テレビジョン受像機Ｘの記録部１５に，前記ＨＤレコーダＹの記録準備が完了するまでの間の始めの映像を記録しておき，該ＨＤレコーダＹの記録準備完了後には前記ＨＤＤ２３に切り替えて続きの映像を記録することが考えられる。この場合には，前記ＨＤレコーダＹにおいて，前記記録部１５から前記ＨＤＤ２３に転送記録された始めの映像と，前記ＨＤＤ２３に記録された続きの映像とをこの順で結合するように処理すればよい。
【実施例】
【００３０】
ここに，図４は転送記録処理の他の例を説明するためのフローチャートである。なお，前記実施の形態で説明した処理には同じ符号を付してその説明を省略する。
前記実施の形態では，ユーザ操作により前記転送記録が開始される場合を例に挙げて説明した。本実施例では，前記転送記録が自動的に行われる場合について説明する。
この場合には，前記テレビジョン受像機Ｘの初期設定などによって，より前記転送記録の自動実行の要否が予め設定される。具体的には，前記制御回路６により前記映像表示部５に表示された初期設定項目に従って，ユーザにより前記リモコン８の前記選択キーが操作されることによって，該制御回路６によって前記転送記録の自動実行の要否が設定される。なお，前記ＨＤレコーダＹなどの記録装置が複数台接続されている場合には，その複数の記録装置のうちのいずれに転送記録するかについても同様に設定される。
【００３１】
以下，図３を参照しつつ，本実施例に係る転送記録処理について説明する。
図３に示すように，本実施例に係る転送記録処理では，前記実施の形態で説明した転送記録処理（図２のフローチャート参照）における前記ステップＳ４，Ｓ５に換えて下記のステップＳ４１が実行される。
ステップＳ４１では，予め転送記録が必要であることが設定されているか否かが前記制御回路６によって判断される。ここで，前記転送記録が必要であると設定されている場合には，処理はステップＳ６に移行し，必要ないと設定されている場合には，当該転送記録処理は終了される。
このように，本実施例に係る転送記録処理では，前記転送記録が必要であると設定されている場合には，前記記録部１５に前記コンテンツ信号が記録されると，該コンテンツ信号の前記ＨＤレコーダＹへの転送記録が自動的に要求されるため，該転送記録時のユーザ操作が一切必要ない。ここに，前記転送記録を自動的に要求するときの前記制御回路６が転送記録要求手段の一例である。
【図面の簡単な説明】
【００３２】
【図１】本発明の実施の形態に係る記録システムＺの概略構成を示すブロック図。
【図２】本発明の実施の形態に係る記録システムＺにおいて実行される転送記録処理の手順の一例を説明するためのフローチャート。
【図３】転送記録処理の他の例を説明するためのフローチャート。
【符号の説明】
【００３３】
Ｘ…テレビジョン受像機
Ｙ…ハードディスクレコーダ（記録装置の一例）
Ｚ…記録システム
１，２１…チューナ
２ｘａ…ＨＤＭＩ受信部
２ｙａ…ＨＤＭＩ送信部
２ｘｂ，２５ｂ…ＣＥＣインターフェース
３…映像切替回路
４…映像処理回路
５…映像表示部
６，２４…制御回路
７，２６…リモコンインターフェース回路
８，２７…リモコン
９，２８…サブＭＰＵ
１０…音声切替回路
１１…音声処理回路
１２…アンプ
１３…スピーカ
１４…記録・再生回路
１５…記録部（第一のコンテンツ記録手段の一例）
２２…記録・再生回路
２３…ＨＤＤ（第二のコンテンツ記録手段の一例）
２５ａ…ＨＤＭＩ送信部
２５ｃ…ＨＤＭＩ受信部
４０…ＨＤＭＩケーブル
４１ｘ，４１ｙ…ＴＭＤＳライン
４２…ＣＥＣライン
【図１】
2008092086.tif 000003
【図２】
2008092086.tif 000004
【図３】
2008092086.tif 000005